(57)【要約】ワイヤレス通信ネットワークにおいて伝送（この伝送は、初期格子表現に従ってワイヤレス通信ネットワークの時間周波数資源を介して実行される）を実行するために使用されるべき時間周波数資源を決定するために、第１の装置は、再描画格子を形成するようにワイヤレス通信ネットワークの時間周波数資源のグループを取得することと、再描画格子に従い周波数ホッピング基準に従って時間周波数資源を割り当てることと、再描画格子に従って割り当てられた時間周波数資源を表すシグナリング情報を提供することとを実行する。伝送を実行するために初期格子のどの時間周波数資源が使用されるべきかを決定するために、第２の装置は、再描画格子に従って割り当てられた時間周波数資源を決定するようにシグナリング情報を取得することと、再描画格子に従って割り当てられた決定された時間周波数資源に所定のパターンマスクを適用することとを実行する。
2016536813.tif 000002
【特許請求の範囲】
【請求項１】
ワイヤレス通信ネットワーク内で伝送を実行するために使用されるべき前記ワイヤレス通信ネットワークの時間周波数資源のうちから時間周波数資源を決定する方法であって、前記伝送は、初期格子表現に従って前記ワイヤレス通信ネットワークの時間周波数資源を介して実行される、方法において、
前記方法は、時間周波数資源を割り当てる役割を担う第１の装置が、
‐再描画格子表現を形成するように、前記ワイヤレス通信ネットワークの時間周波数資源のグループを取得することと、
‐前記再描画格子表現に従い、周波数ホッピング基準に従って、時間周波数資源を割り当てることと、
‐前記再描画格子表現に従って割り当てられた前記時間周波数資源を表すシグナリング情報を提供することと、
を実行することを特徴とし、かつ、
前記方法は、前記初期格子のどの時間周波数資源が前記伝送を実行するために使用されるべきかを決定するために、第２の装置が、
‐前記再描画格子表現に従って割り当てられた前記時間周波数資源を決定するように、前記第１の装置によって提供された前記シグナリング情報を取得することと、
‐前記再描画格子表現に従って割り当てられた前記決定された時間周波数資源に所定のパターンマスクを適用することであって、前記パターンマスクは、前記再描画格子の割り当てられた時間周波数資源それぞれにおいて、時間スロットごとに前記初期格子の時間周波数資源が１つだけ実効的に割り当てられるようなものである、所定のパターンマスクを適用することと
を実行することを特徴とする、方法。
【請求項２】
前記第１の装置は、第１の複数の所定の再描画格子のうちから１つの再描画格子を選択することによって時間周波数資源の前記グループを定義し、
前記第１の装置は、どの再描画格子が選択されたかを前記シグナリング情報において示し、
前記第２の装置は、どの再描画格子が選択されたかを前記シグナリング情報から決定する、
ことを特徴とする、請求項１に記載の方法。
【請求項３】
前記第１の装置は、
‐前記第１の複数に含まれる各再描画格子について、前記選択された再描画格子について干渉に対する頑強性を表す第１の性能指数を計算することと、
‐最良の第１の性能指数を示す、前記第１の複数に含まれる前記再描画格子を選択することと
によって前記再描画格子を選択することを特徴とする、請求項２に記載の方法。
【請求項４】
前記第１の装置は、第２の複数の所定のパターンマスクのうちから１つのパターンマスクを選択し、
前記第１の装置は、どのパターンマスクが選択されたかを前記シグナリング情報において示し、
前記第２の装置は、初期格子のどの時間周波数資源が前記伝送を実行するために使用されるべきかを決定するために、前記選択されたパターンマスクを適用する
ことを特徴とする、請求項１〜３のいずれか一項に記載の方法。
【請求項５】
前記第１の装置は、
‐前記第２の複数に含まれる各パターンマスクについて、前記パターンマスクについて干渉に対する頑強性を表す第２の性能指数を計算することと、
‐最良の第２の性能指数を示す、前記第２の複数に含まれる前記パターンマスクを選択することと
によって前記パターンマスクを選択することを特徴とする、請求項４に記載の方法。
【請求項６】
前記第１の装置は、第２の複数の所定のパターンマスクのうちから１つのパターンマスクを選択し、
前記第１の装置は、どのパターンマスクが選択されたかを前記シグナリング情報において示し、
前記第２の装置は、前記初期格子のどの時間周波数資源が前記伝送を実行するために使用されるべきかを決定するために、前記選択されたパターンマスクを適用し、
前記第１の装置は、
‐前記第１の複数に含まれる再描画格子と、前記第２の複数に含まれるパターンマスクとの各結合について、再描画格子およびパターンマスクの前記結合について干渉に対する頑強性を表す第３の性能指数を計算することと、
‐最良の第３の性能指数を示す、再描画格子およびパターンマスクの前記結合を選択することと
によって前記再描画格子および前記パターンマスクを選択することを特徴とする、請求項２に記載の方法。
【請求項７】
前記第２の複数のパターンマスクは、相互に同レベルの直交性を持つことを特徴とする、請求項４〜６のいずれか一項に記載の方法。
【請求項８】
前記再描画格子の前記グループは、前記初期格子の各時間スロットについて、前記初期格子の隣接する周波数または周波数帯域を周波数超帯域にグループ化することによって形成されることを特徴とする、請求項１〜７のいずれか一項に記載の方法。
【請求項９】
前記ｖ個の連続する時間スロットにわたる各周波数超帯域内の時間周波数資源系列の結合の間で、直交性因子ＯＦが次のように定義され、
ＯＦ（Ｉ１，Ｉ２）  ＝
Ｗ（ｆ（Ｉ１；１）−ｆ（Ｉ２；１））
＋Ｗ（ｆ（Ｉ２；１）−ｆ（Ｉ１；１））
＋…
＋Ｗ（ｆ（Ｉ１；ｖ）−ｆ（Ｉ２；ｖ））
＋Ｗ（ｆ（Ｉ２；ｖ）−ｆ（Ｉ１；ｖ））
ただし、
Ｉ１およびＩ２は、２つのパターンマスクとともにそれぞれ考慮されるべき各再描画格子内でｖ個の連続する時間スロットの量にわたって等しく形成される１つの周波数超帯域内で当該２つのパターンマスクによって定義される時間周波数資源系列であり、
Ｗ（ｆ１，ｆ２）は、周波数資源ｆ１およびｆ２の間の同一チャネル干渉の測定値であり、
ｆ（Ｉ１；ａ）は、時間スロットａに対する前記時間周波数資源系列Ｉ１の前記周波数資源であり、
ｆ（Ｉ２；ａ）は、前記時間スロットａに対する前記時間周波数資源系列Ｉ１の前記周波数資源である
ことを特徴とし、かつ、
前記第２の複数のパターンマスクが相互に同レベルの直交性を持つことを保証するために、前記パターンマスクは、前記第２の複数の各パターンマスクを表す任意の系列ＩｍおよびＩｋについて次の関係が満たされるように定義され、
｜ＯＦ（Ｉｍ，Ｉｋ）｜≦Ｄ
ただしＤは所定の閾値である
ことを特徴とする、請求項７および８に記載の方法。
【請求項１０】
前記ｖ個の連続する時間スロットにわたる複数の周波数超帯域ｉ，ｊ内の時間周波数資源系列の結合の間で、直交性因子ＯＦが次のように定義され、
ＯＦ（Ｉ’１，Ｉ’２）  ＝
ｍａｘｉ，ｊ（Ｗ（ｆｉ（Ｉ’１，１）−ｆｊ（Ｉ’２，１））
＋Ｗ（ｆｉ（Ｉ’２，１）−ｆｊ（Ｉ’１，１）））
＋…
＋ｍａｘｉ，ｊ（Ｗ（ｆｉ（Ｉ’１，ｖ）−ｆｊ（Ｉ’２，ｖ））
＋Ｗ（ｆｉ（Ｉ’２，ｖ）−ｆｊ（Ｉ’１，ｖ）））
ただし、
Ｉ’１およびＩ’２は、２つのパターンマスクとともにそれぞれ考慮されるべき各再描画格子内でｖ個の連続する時間スロットの量にわたって形成される複数の周波数超帯域内で当該２つのパターンマスクによって定義される時間周波数資源系列であり、
Ｗ（ｆ１，ｆ２）は、周波数資源ｆ１およびｆ２の間の同一チャネル干渉の測定値であり、
ｆｉ（Ｉ’１；ａ）は、前記周波数超帯域ｉ内の時間スロットａに対する前記時間周波数資源系列Ｉ’１の前記周波数資源であり、
ｆｉ（Ｉ’２；ａ）は、前記周波数超帯域ｉ内の前記時間スロットａに対する前記時間周波数資源系列Ｉ’２の前記周波数資源であり、
ｆｊ（Ｉ’１；ａ）は、前記周波数超帯域ｊ内の時間スロットａに対する前記時間周波数資源系列Ｉ’１の前記周波数資源であり、
ｆｊ（Ｉ’２；ａ）は、前記時間スロットａに対する前記時間周波数資源系列Ｉ’２の前記周波数資源である
ことを特徴とし、かつ、
前記第２の複数のパターンマスクが相互に同レベルの直交性を持つことを保証するために、前記パターンマスクは、前記第２の複数の各パターンマスクを表す任意の系列Ｉ’ｍおよびＩ’ｋについて次の関係が満たされるように定義され、
｜ＯＦ（Ｉ’ｍ，Ｉ’ｋ）｜≦Ｄ
ただしＤは所定の閾値である
ことを特徴とする、請求項７および８に記載の方法。
【請求項１１】
前記初期格子の各時間スロットについて、前記初期格子の周波数または周波数帯域が、前記周波数超帯域のうちの量の観点から一様または準一様に分布することを特徴とする、請求項８〜１０のいずれか一項に記載の方法。
【請求項１２】
前記初期格子は、２４００ＭＨｚ〜２４８０ＭＨｚの周波数をカバーし、
第１の周波数超帯域グループは、２４００ＭＨｚ〜２４２５ＭＨｚの周波数をカバーし、
第２の周波数超帯域グループは、２４２５ＭＨｚ〜２４５０ＭＨｚの周波数をカバーし、
第３の周波数超帯域グループは、２４５０ＭＨｚ〜２４８０ＭＨｚの周波数をカバーする
ことを特徴とする、請求項１１に記載の方法。
【請求項１３】
前記再描画格子は、次の制約を満たすことによって時間周波数資源のグループが形成されるようなものであり、
【数１】
2016536813.tif 000008
ただし、
‐┌  ┐は、天井演算子を表し、
‐ｎは、前記初期格子から形成されたグループの量を表し、
‐Ｎｉは、インデックスｉによって識別される、あるグループ内に存在する前記初期格子の時間スロットの量を表し、
‐Ｎｔは、前記初期格子の時間スロットの量を表し、
‐ＳＢｉは、前記インデックスｉによって識別される、前記グループ内の時間スロットそれぞれに対する周波数超帯域の量を表し、
‐Ｂｔは、前記再描画格子に従って前記伝送にどの時間周波数資源が割り当てられるかを示すために利用可能なシグナリングビットの目標量を表す
ことを特徴とする、請求項８〜１０のいずれか一項に記載の方法。
【請求項１４】
前記再描画格子表現に従った割り当ては、所定量の時間スロットの組によって考慮され、
前記再描画格子表現に従った割り当ては、コードブックにおいて対応するシグナリングワードに関連付けられ、
前記シグナリング情報は、前記再描画格子表現に従って第１通信装置によって割り当てられた前記時間周波数資源に関連付けられた前記コードブックの前記コードを含む
ことを特徴とする、請求項１〜１３のいずれか一項に記載の方法。
【請求項１５】
ワイヤレス通信ネットワーク内で伝送を実行するために使用されるべき前記ワイヤレス通信ネットワークの時間周波数資源のうちから時間周波数資源を決定するシステムであって、前記伝送は、初期格子表現に従って前記ワイヤレス通信ネットワークの時間周波数資源を介して実行されることを意図される、システムにおいて、
前記システムは、時間周波数資源を割り当てる役割を担う第１の装置が、
‐再描画格子表現を形成するように、前記ワイヤレス通信ネットワークの時間周波数資源のグループを取得する手段と、
‐前記再描画格子表現に従い、周波数ホッピング基準に従って、時間周波数資源を割り当てる手段と、
‐前記再描画格子表現に従って割り当てられた前記時間周波数資源を表すシグナリング情報を提供する手段と、
を備えることを特徴とし、かつ、
前記システムは、前記初期格子のどの時間周波数資源が前記伝送を実行するために使用されるべきかを決定するために、第２の装置が、
‐前記再描画格子表現に従って割り当てられた前記時間周波数資源を決定するように、前記第１の装置によって提供された前記シグナリング情報を取得する手段と、
‐前記再描画格子表現に従って割り当てられた前記決定された時間周波数資源に所定のパターンマスクを適用する手段であって、前記パターンマスクは、前記再描画格子の割り当てられた時間周波数資源それぞれにおいて、時間スロットごとに前記初期格子の時間周波数資源が１つだけ実効的に割り当てられるようなものである、所定のパターンマスクを適用する手段と
を備えることを特徴とする、システム。
【発明の詳細な説明】
【技術分野】
【０００１】
本発明は、概して、ワイヤレス通信ネットワーク内で伝送を実行するために使用されるべき時間周波数資源を決定しシグナリングすることに関する。
【０００２】
ワイヤレス通信ネットワーク内で伝送を実行するために、ワイヤレス通信ネットワークの資源が、ワイヤレス通信ネットワークの装置（資源の使用を調整する役割を担うもの）によって割り当てられる必要がある。ワイヤレス通信ネットワークの各装置が、当該伝送を実行するためにどの資源が実効的に(effectively)使用される必要があるかを知ることになるように、資源の割り当ては、ワイヤレス通信ネットワーク内でシグナリングされる必要がある。
【０００３】
時間周波数資源は、典型的には、当該伝送を実行することを可能にするために使用される。時間は等しいサイズの時間スロットに分割され、したがってこれが時間資源を定義する。伝送を実行するために複数の周波数または周波数帯域が利用可能であり、したがってこれが周波数資源を定義する。そのような時間スロット１つにおけるそのような周波数または周波数帯域の使用が、１つの時間周波数資源を定義する。時間周波数資源は、典型的には、周波数資源を１つの軸に、時間資源を別の軸に持つ格子(grid)を用いて表現される。たとえば２０個の時間スロットにわたる１６個の周波数帯域からなる組を考えるとき、シグナリング情報は、典型的には８０ビットからなる（２０個の時間資源のそれぞれについて、１６個の周波数資源をカバーするために４ビット）。そのような数字(figures)は、当該伝送に対して、時間スロットごとにただ１つの周波数資源のみが割り当てられるケースを考慮する。１つまたは別の時間スロットが空きのままであるか否かを示すために、より多くのシグナリングビットが必要となる可能性もある。
【０００４】
ワイヤレス通信ネットワークの資源の使用を適切に管理するためには、ワイヤレス通信ネットワーク内で交換される情報の量を低減することが重要な目標であるということが、従来技術において知られている。本発明は、伝送の成功率を改善するために一定レベルの周波数ダイバーシティを保証しつつ、ワイヤレス通信ネットワーク内でどの時間周波数資源が伝送を実行するために使用されるかを決定するために提供されるシグナリング情報を低減可能とする解決策を提供することを目的とする。
【０００５】
その目的のために、本発明は、ワイヤレス通信ネットワーク内で伝送を実行するために使用されるべき前記ワイヤレス通信ネットワークの時間周波数資源のうちから時間周波数資源を決定する方法であって、前記伝送は、初期格子表現に従って前記ワイヤレス通信ネットワークの時間周波数資源を介して実行される、方法に関する。本方法は、時間周波数資源を割り当てる役割を担う第１の装置が、再描画格子表現を形成するように、前記ワイヤレス通信ネットワークの時間周波数資源のグループを取得することと、前記再描画格子表現に従い、周波数ホッピング基準に従って、時間周波数資源を割り当てることと、前記再描画格子表現に従って割り当てられた前記時間周波数資源を表すシグナリング情報を提供することと、を実行するものである。また、本方法は、前記初期格子表現のどの時間周波数資源が前記伝送を実行するために使用されるべきかを決定するために、第２の装置が、前記再描画格子表現に従って割り当てられた前記時間周波数資源を決定するように、前記第１の装置によって提供された前記シグナリング情報を取得することと、前記再描画格子表現に従って割り当てられた前記決定された時間周波数資源に所定のパターンマスクを適用することであって、前記パターンマスクは、前記再描画格子の割り当てられた時間周波数資源それぞれにおいて、時間スロットごとに前記初期格子の時間周波数資源が１つだけ実効的に割り当てられるようなものである、所定のパターンマスクを適用することと
を実行するものである。
【０００６】
このように、適応的な時間周波数資源の割り当てが、限定されたシグナリングオーバヘッドで達成可能である。
【０００７】
特定の特徴によれば、前記第１の装置は、第１の複数の所定の再描画格子表現のうちから１つの再描画格子表現を選択することによって時間周波数資源の前記グループを定義し、前記第１の装置は、どの再描画格子表現が選択されたかを前記シグナリング情報において示し、前記第２の装置は、どの再描画格子表現が選択されたかを前記シグナリング情報から決定する。
【０００８】
このように、時間周波数資源の割り当てに、再描画格子のいくつかの可能性を介し、より大きい柔軟性が与えられ、性能が改善され得る。
【０００９】
特定の特徴によれば、前記第１の装置は、前記第１の複数に含まれる各再描画格子について、前記選択された再描画格子について干渉に対する頑強性を表す第１の性能指数を計算することと、最良の第１の性能指数を示す、前記第１の複数に含まれる前記再描画格子を選択することとによって前記再描画格子を選択する。
【００１０】
このように、再描画格子は、干渉に対する頑強性を改善可能なように選択され、性能が改善される。
【００１１】
特定の特徴によれば、前記第１の装置は、第２の複数の所定のパターンマスクのうちから１つのパターンマスクを選択し、前記第１の装置は、どのパターンマスクが選択されたかを前記シグナリング情報において示し、前記第２の装置は、初期格子のどの時間周波数資源が前記伝送を実行するために使用されるべきかを決定するために、前記選択されたパターンマスクを適用する。
【００１２】
このように、時間周波数資源の割り当てに、パターンマスクのいくつかの可能性を介し、より大きい柔軟性が与えられ、性能が改善され得る。
【００１３】
特定の特徴によれば、前記第１の装置は、前記第２の複数に含まれる各パターンマスクについて、前記パターンマスクについて干渉に対する頑強性を表す第２の性能指数を計算することと、最良の第２の性能指数を示す、前記第２の複数に含まれる前記パターンマスクを選択することとによって前記パターンマスクを選択する。
【００１４】
このように、パターンマスクは、干渉に対する頑強性を改善可能なように選択され、性能が改善される。
【００１５】
特定の特徴によれば、前記第１の装置は、第２の複数の所定のパターンマスクのうちから１つのパターンマスクを選択し、前記第１の装置は、どのパターンマスクが選択されたかを前記シグナリング情報において示し、前記第２の装置は、前記初期格子のどの時間周波数資源が前記伝送を実行するために使用されるべきかを決定するために、前記選択されたパターンマスクを適用し、前記第１の装置は、前記第１の複数に含まれる再描画格子と、前記第２の複数に含まれるパターンマスクとの各結合について、再描画格子およびパターンマスクの前記結合について干渉に対する頑強性を表す第３の性能指数を計算することと、最良の第３の性能指数を示す、再描画格子およびパターンマスクの前記結合を選択することとによって前記再描画格子および前記パターンマスクを選択する。
【００１６】
このように、時間周波数資源の割り当てに、再描画格子およびパターンマスクのいくつかの可能性を介し、より大きい柔軟性が与えられ、性能指数の最適化に従って性能が改善され得る。
【００１７】
特定の特徴によれば、前記第２の複数のパターンマスクは、相互に同レベルの直交性を持つ。
【００１８】
このように、複数の異なるシステムについて異なるパターンマスクが選択された時に、当該複数の異なるシステムは、相互に等しく干渉し、共同最適化(joint optimization)を行う必要がない。言い換えると、当該複数の異なるシステムの間の協力は不要である。
【００１９】
特定の特徴によれば、前記再描画格子の前記グループは、前記初期格子の各時間スロットについて、前記初期格子の隣接する周波数または周波数帯域を周波数超帯域にグループ化することによって形成される。
【００２０】
このように、干渉源が有する帯域幅が、伝送のために使用されるシステムの帯域幅よりも大きい時には、限定されたシグナリングオーバヘッドでこれらの干渉源の干渉回避が得られる。
【００２１】
特定の特徴によれば、前記ｖ個の連続する時間スロットにわたる各周波数超帯域内の時間周波数資源系列の結合の間で、直交性因子ＯＦが次のように定義され、
ＯＦ（Ｉ１，Ｉ２）  ＝
Ｗ（ｆ（Ｉ１；１）−ｆ（Ｉ２；１））
＋Ｗ（ｆ（Ｉ２；１）−ｆ（Ｉ１；１））
＋…
＋Ｗ（ｆ（Ｉ１；ｖ）−ｆ（Ｉ２；ｖ））
＋Ｗ（ｆ（Ｉ２；ｖ）−ｆ（Ｉ１；ｖ））
ただし、Ｉ１およびＩ２は、２つのパターンマスクとともにそれぞれ考慮されるべき各再描画格子内でｖ個の連続する時間スロットの量にわたって等しく形成される１つの周波数超帯域内で当該２つのパターンマスクによって定義される時間周波数資源系列であり、Ｗ（ｆ１，ｆ２）は、周波数資源ｆ１およびｆ２の間の同一チャネル干渉の測定値であり、ｆ（Ｉ１；ａ）は、時間スロットａに対する前記時間周波数資源系列Ｉ１の前記周波数資源であり、ｆ（Ｉ２；ａ）は、前記時間スロットａに対する前記時間周波数資源系列Ｉ１の前記周波数資源であり、前記第２の複数のパターンマスクが相互に同レベルの直交性を持つことを保証するために、前記パターンマスクは、前記第２の複数の各パターンマスクを表す任意の系列ＩｍおよびＩｋについて次の関係が満たされるように定義され、
｜ＯＦ（Ｉｍ，Ｉｋ）｜≦Ｄ
ただしＤは所定の閾値である。このように、隣接セルによって同時に使用され得るパターンマスク間の超帯域内干渉が低減される。
【００２２】
特定の特徴によれば、前記ｖ個の連続する時間スロットにわたる複数の周波数超帯域ｉ，ｊ内の時間周波数資源系列の結合の間で、直交性因子ＯＦが次のように定義され、
ＯＦ（Ｉ’１，Ｉ’２）  ＝
ｍａｘｉ，ｊ（Ｗ（ｆｉ（Ｉ’１，１）−ｆｊ（Ｉ’２，１））
＋Ｗ（ｆｉ（Ｉ’２，１）−ｆｊ（Ｉ’１，１）））
＋…
＋ｍａｘｉ，ｊ（Ｗ（ｆｉ（Ｉ’１，ｖ）−ｆｊ（Ｉ’２，ｖ））
＋Ｗ（ｆｉ（Ｉ’２，ｖ）−ｆｊ（Ｉ’１，ｖ）））
ただし、Ｉ’１およびＩ’２は、２つのパターンマスクとともにそれぞれ考慮されるべき各再描画格子内でｖ個の連続する時間スロットの量にわたって形成される複数の周波数超帯域内で当該２つのパターンマスクによって定義される時間周波数資源系列であり、Ｗ（ｆ１，ｆ２）は、周波数資源ｆ１およびｆ２の間の同一チャネル干渉の測定値であり、ｆｉ（Ｉ’１；ａ）は、前記周波数超帯域ｉ内の時間スロットａに対する前記時間周波数資源系列Ｉ’１の前記周波数資源であり、ｆｉ（Ｉ’２；ａ）は、前記周波数超帯域ｉ内の前記時間スロットａに対する前記時間周波数資源系列Ｉ’２の前記周波数資源であり、ｆｊ（Ｉ’１；ａ）は、前記周波数超帯域ｊ内の時間スロットａに対する前記時間周波数資源系列Ｉ’１の前記周波数資源であり、ｆｊ（Ｉ’２；ａ）は、前記時間スロットａに対する前記時間周波数資源系列Ｉ’２の前記周波数資源であり、前記第２の複数のパターンマスクが相互に同レベルの直交性を持つことを保証するために、前記パターンマスクは、前記第２の複数の各パターンマスクを表す任意の系列Ｉ’ｍおよびＩ’ｋについて次の関係が満たされるように定義され、
｜ＯＦ（Ｉ’ｍ，Ｉ’ｋ）｜≦Ｄ
ただしＤは所定の閾値である。このように、隣接セルによって同時に使用され得るパターンマスク間の超帯域内および超帯域間干渉が低減される。
【００２３】
特定の特徴によれば、前記初期格子の各時間スロットについて、前記初期格子の周波数または周波数帯域が、前記周波数超帯域のうちの量の観点から一様または準一様に分布する。
【００２４】
このように、干渉回避能力はすべての時間スロットについて同一である。
【００２５】
特定の特徴によれば、前記初期格子は、２４００ＭＨｚ〜２４８０ＭＨｚの周波数をカバーし、第１の周波数超帯域グループは、２４００ＭＨｚ〜２４２５ＭＨｚの周波数をカバーし、第２の周波数超帯域グループは、２４２５ＭＨｚ〜２４５０ＭＨｚの周波数をカバーし、第３の周波数超帯域グループは、２４５０ＭＨｚ〜２４８０ＭＨｚの周波数をカバーする。
【００２６】
このように、ＩＳＭ（工業、科学および医療）(Industrial, Scientific and Medical)帯域において動作する最も普及した装置によって生成される干渉が、限定されたシグナリングオーバヘッドで回避可能である。
【００２７】
特定の特徴によれば、前記再描画格子は、次の制約を満たすことによって時間周波数資源のグループが形成されるようなものであり、
【００２８】
【数１】
2016536813.tif 000003
【００２９】
ただし、
‐┌  ┐は、天井演算子を表し、
‐ｎは、前記初期格子から形成されたグループの量を表し、
‐Ｎｉは、インデックスｉによって識別される、あるグループ内に存在する前記初期格子の時間スロットの量を表し、
‐Ｎｔは、前記初期格子の時間スロットの量を表し、
‐ＳＢｉは、前記インデックスｉによって識別される、前記グループ内の時間スロットそれぞれに対する周波数超帯域の量を表し、
‐Ｂｔは、前記再描画格子に従って前記伝送にどの時間周波数資源が割り当てられるかを示すために利用可能なシグナリングビットの目標量を表す。
【００３０】
このように、再描画格子は目標シグナリングオーバヘッドに対して定義可能である。
【００３１】
特定の特徴によれば、前記再描画格子表現に従った割り当ては、所定量の時間スロットの組によって考慮され、前記再描画格子表現に従った割り当ては、コードブックにおいて対応するシグナリングワードに関連付けられ、前記シグナリング情報は、前記再描画格子表現に従って第１通信装置によって割り当てられた前記時間周波数資源に関連付けられた前記コードブックの前記コードを含む。
【００３２】
このように、再描画格子に従って割り当てられた時間周波数資源を通知するのに必要なデータの量は限定される。
【００３３】
本発明は、また、ワイヤレス通信ネットワーク内で伝送を実行するために使用されるべき前記ワイヤレス通信ネットワークの時間周波数資源のうちから時間周波数資源を決定するシステムであって、前記伝送は、初期格子表現に従って前記ワイヤレス通信ネットワークの時間周波数資源を介して実行されることを意図される、システムにも関する。本システムは、時間周波数資源を割り当てる役割を担う第１の装置が、再描画格子表現を形成するように、前記ワイヤレス通信ネットワークの時間周波数資源のグループを取得する手段と、前記再描画格子表現に従い、周波数ホッピング基準に従って、時間周波数資源を割り当てる手段と、前記取得した再描画格子表現に従って割り当てられた前記時間周波数資源を表すシグナリング情報を提供する手段と、を備えるものである。さらに、本システムは、前記初期格子のどの時間周波数資源が前記伝送を実行するために使用されるべきかを決定するために、第２の装置が、前記再描画格子表現に従って割り当てられた前記時間周波数資源を決定するように、前記第１の装置によって提供された前記シグナリング情報を取得する手段と、前記再描画格子表現に従って割り当てられた前記決定された時間周波数資源に所定のパターンマスクを適用する手段であって、前記パターンマスクは、前記再描画格子の割り当てられた時間周波数資源それぞれにおいて、時間スロットごとに前記初期格子の時間周波数資源が１つだけ実効的に割り当てられるようなものである、所定のパターンマスクを適用する手段とを備えるものである。
【００３４】
システムに関する特徴は、上述の対応する方法に関して既に述べたものと同様なので、対応する利点についてはここでは繰り返さない。
【００３５】
本発明の特徴は、以下に示す実施形態の例の記載を読めばより明らかになるであろう。以下の記載は添付の図面を参照して作成されている。
【図面の簡単な説明】
【００３６】
【図１】本発明が実装され得るワイヤレス通信ネットワークを概略的に表す図である。
【図２】ワイヤレス通信ネットワークの通信装置を概略的に表す図である。
【図３】本発明の実施の形態１による、ワイヤレス通信ネットワーク内で伝送を実行するために使用されるべき時間周波数資源を決定するためのアルゴリズムを概略的に表す図である。
【図４】本発明の実施の形態２による、ワイヤレス通信ネットワーク内で伝送を実行するために使用されるべき時間周波数資源を決定するためのアルゴリズムを概略的に表す図である。
【図５】ワイヤレス通信ネットワーク内で伝送を実行するために使用されるべき時間周波数資源の割り当てをシグナリングするために使用されるべき時間周波数資源の再描画格子を決定するためのアルゴリズムを概略的に表す図である。
【図６】ワイヤレス通信ネットワーク内で伝送を実行するために使用されるべき時間周波数資源の割り当てをシグナリング情報から決定するために使用されるべきパターンを決定するためのアルゴリズムを概略的に表す図である。
【図７】ワイヤレス通信ネットワーク内で伝送を実行するために使用されるべき時間周波数資源の割り当てをシグナリングするために使用されるべき時間周波数資源の再描画格子と、ワイヤレス通信ネットワーク内で伝送を実行するために使用されるべき時間周波数資源の割り当てをシグナリング情報から決定するために使用されるべきパターンとを決定するためのアルゴリズムを概略的に表す図である。
【図８Ａ】時間周波数資源の初期格子（時間周波数資源の再描画格子は、これに基づいている）を概略的に表す図である。
【図８Ｂ】時間周波数資源の再描画格子の実施の形態１を概略的に表す図である。
【図８Ｃ】時間周波数資源の再描画格子の実施の形態１を概略的に表す図である。
【図８Ｄ】時間周波数資源の再描画格子の実施の形態２を概略的に表す図である。
【図８Ｅ】時間周波数資源の再描画格子の実施の形態２を概略的に表す図である。
【図８Ｆ】時間周波数資源の再描画格子の実施の形態３を概略的に表す図である。
【図８Ｇ】時間周波数資源の再描画格子の実施の形態３を概略的に表す図である。
【図９Ａ】本発明による、時間周波数資源の割り当ておよびシグナリングの例を概略的に表す図である。
【図９Ｂ】本発明による、時間周波数資源の割り当ておよびシグナリングの例を概略的に表す図である。
【図９Ｃ】本発明による、時間周波数資源の割り当ておよびシグナリングの例を概略的に表す図である。
【００３７】
ワイヤレス通信ネットワーク内で伝送を実行するために割り当てられる時間周波数資源に関して通信装置に通知するために必要なシグナリング情報の量を低減するために、時間周波数資源が個別に考慮される時間周波数資源の初期格子(initial grid)から、時間周波数資源の再描画格子(redrawn grid)を構築するために、時間周波数資源のグループを形成することが提案される。時間周波数資源をグループ化し、初期格子の代わりに再描画格子を考慮して割り当てを実行することにより、シグナリング情報の量が低減される。実効的に(effectively)必要な分よりも多くの時間周波数資源が使用されることを回避するために、シグナリング情報によって規定され、時間周波数資源の割り当てにパターンマスクが適用される。パターンマスクは時間周波数資源の初期格子に戻ることを可能にし、一方で、シグナリング情報は時間周波数資源の再描画格子のみを参照する（これは時間周波数資源の初期格子よりも本質的に不正確である）。
【００３８】
図１は、本発明が実装可能なワイヤレス通信ネットワークを概略的に表す。
【００３９】
図１に示すワイヤレス通信ネットワークは、サーバ１００と、複数のアクセスポイントＡＰと、複数の移動端末とを備える。２つのＡＰ１１０、１１１が例示的に表され、また、２つの移動端末１２０、１２１も例示的に表される。
【００４０】
図１において、図１内の実線矢印によって表されるように、移動端末１２０は、ワイヤレス通信ネットワーク内でＡＰ１１０を介して通信し、移動端末１２１は、ワイヤレス通信ネットワーク内でＡＰ１１１を介して通信する。移動端末１２１の立場からは、ＡＰ１１０から移動端末１２０へのダウンリンク通信が、ＡＰ１１１から移動端末１２１へのダウンリンク通信と干渉する可能性がある。移動端末１２０の立場からは、ＡＰ１１１から移動端末１２１へのダウンリンク通信が、ＡＰ１１０から移動端末１２０へのダウンリンク通信と干渉する可能性がある。このような干渉は、図１において破線矢印で表される。移動端末の近傍および／またはＡＰの近傍に位置する他の干渉源によって他の干渉が発生する可能性もある。
【００４１】
そのような干渉への対応は、伝送のために時間周波数資源を割り当てる時に周波数ホッピングの恩恵により実行可能である。周波数ホッピングは、周波数の使用の観点からダイバーシティを提供し、これは狭帯域干渉に耐性のある伝送を可能にする。
【００４２】
サーバ１００は、ワイヤレス通信ネットワーク内で時間周波数資源の割り当てを実行する役割を担う。これを達成するため、伝送を実行するために、サーバ１００は、割り当て要求を受信して処理し、割り当て要求に応じてサーバ１００によって割り当てられた時間周波数資源に関する情報を提供するために、ＡＰ１１０、１１１と通信する。各ＡＰは、サーバ１００によって当該ＡＰによってカバーされるある領域（「セル」ともいう）内に存在する任意の移動端末に対して割り当てられた当該時間周波数資源を表すシグナリング情報を提供する役割を担う。
【００４３】
一変形例では、時間周波数資源の割り当ては、各ＡＰが接続されるサーバによってではなく、各ＡＰ自身によって実行される。
【００４４】
ＡＰ１１０と移動端末１２０との間の伝送およびＡＰ１１１と移動端末１２１との間の伝送を実行するために使用され得る時間周波数資源は、時間周波数資源のいわゆる初期格子を使用して表現することができる。そのような時間周波数資源の初期格子の例示的表現は、図８Ａに示される。
【００４５】
図８Ａにおいて、周波数資源は縦軸（垂直軸）として表され、時間資源は横軸（水平軸）として表される。例示的には、２４００ＭＨｚ〜２４８０ＭＨｚの周波数帯域が、それぞれ５ＭＨｚの１６個の周波数資源に分割される。言い換えると、図８Ａに示す格子の各行は、幅５ＭＨｚの周波数資源を表す。例示的には、時間は、それぞれ４ｍｓの時間スロットに分割される。図８Ａに示す格子に従って、２０個の時間スロットからなる時間フレームが表される。各時間スロットが時間資源として考えられる。言い換えると、図８Ａに示す格子の各列は、幅４ｍｓの時間資源を表す。この場合、図８Ａに示す格子において表される正方形はそれぞれ４ｍｓにわたる５ＭＨｚの時間周波数資源に対応する。
【００４６】
伝送は、当該初期格子の時間周波数資源を使用して実行されることになる。
【００４７】
上述のように、図８Ａに示す初期格子に従ってシグナリングを実行することは、少なくとも８０ビットを必要とする（２０個の時間スロットからなる考慮中の時間フレームの各時間スロットに対して１つの周波数資源を割り当てる必要があるということを考え、どの周波数資源が割り当てられるかを示すために時間スロット毎に４ビット）。初期格子の時間周波数資源のグループ化によって形成される再描画格子と、初期格子に戻るためのパターンマスクとを使用することにより、後に詳述するように、シグナリングを実行するために必要なビットの量が低減可能になる。
【００４８】
図２は、ワイヤレス通信ネットワークの通信装置を概略的に表す。このような通信装置は、ＡＰ（ＡＰ１１０等）の表現であってもよく、および／または、移動端末（移動端末１２０等）の表現であってもよく、および／または、サーバ１００の表現であってもよい。
【００４９】
図示のアーキテクチャによれば、通信装置は、通信バス２１０によって相互接続される以下の構成要素を備える。
‐プロセッサ、マイクロプロセッサ、マイクロコントローラまたはＣＰＵ（中央処理装置）２００。
‐ＲＡＭ（ランダムアクセスメモリ）２０１。
‐ＲＯＭ（読み出し専用メモリ）２０２。
‐ＨＤＤ（ハードディスクドライブ）またはＳＤ（セキュアデジタル）カードリーダ２０３、または記憶手段に記憶された情報を読み出すよう構成される任意の他の装置。
‐少なくとも１つの通信インタフェース２０４。
【００５０】
通信インタフェース２０４により、通信装置は、ワイヤレス通信ネットワークの、少なくとも１つの他の通信装置と通信することができる。
【００５１】
ＣＰＵ２００は、ＲＯＭ２０２からまたは外部メモリ（ＳＤカード等）からＲＡＭ２０１にロードされた命令を、実行することができる。通信装置の電源が投入された後に、ＣＰＵ２００はＲＡＭ２０１から命令を読み出し、それらの命令を実行することができる。これらの命令は、ＣＰＵ２００に、後述されるアルゴリズムのステップの一部または全部を実行させる１つのコンピュータプログラムを形成する。
【００５２】
後述するアルゴリズムの任意のステップおよびすべてのステップは、プログラム可能な計算機（ＰＣ（パーソナルコンピュータ）、ＤＳＰ（デジタル信号プロセッサ）またはマイクロコントローラ等）による命令の組またはプログラムの実行によるソフトウェアにおいて実装されてもよい。または、そうでなければ、機械または専用の構成要素（ＦＰＧＡ（フィールドプログラマブルゲートアレイ）またはＡＳＩＣ（特定アプリケーション向け集積回路）等）によるハードウェアにおいて実装されてもよい。
【００５３】
図３は、本発明の実施の形態１による、ワイヤレス通信ネットワーク内で伝送を実行するために使用されるべき時間周波数資源を決定するためのアルゴリズムを概略的に表す。
【００５４】
図３のアルゴリズムは、２つの部分（Ｓ３２０およびＳ３３０）からなる。第１部分Ｓ３２０は、ワイヤレス通信ネットワーク内で伝送を実行するために時間周波数資源を割り当てる処理に関する。第１部分Ｓ３２０は、ＡＰまたはサーバ１００によって実行することができる。第２部分Ｓ３３０は、伝送を実行するためにどの時間周波数資源が実効的に割り当てられたかをシグナリング情報から決定する処理に関する。第２部分Ｓ３３０は、ＡＰまたはサーバ１００によって実行することができる。一般的考慮のもとでは、第１部分Ｓ３２０は、１通信装置（ワイヤレス通信ネットワーク内で伝送を可能にするための時間周波数資源割り当ての役割を担うもの）によって実行され、第２部分Ｓ３３０は、第２通信装置（ワイヤレス通信ネットワーク内で当該伝送を可能にするために実効的に割り当てられた時間周波数資源を決定する用意がある(willing)もの）によって実行される。
【００５５】
図３のアルゴリズムにおいて、第１部分Ｓ３２０は、ステップＳ３０１〜Ｓ３０３の系列からなり、第２部分Ｓ３３０は、ステップＳ３１０〜Ｓ３１３の系列からなる。
【００５６】
ステップＳ３０１において、第１通信装置は時間周波数資源の再描画格子を取得する。再描画格子は、初期格子の時間周波数資源をグループ化することにより取得される。図３のアルゴリズムの範囲内において、第１通信装置は再描画格子の静的定義に依存することが考えられる。その場合、再描画格子は事前に決定され、たとえばワイヤレス通信ネットワークの設置または初期化の際に、その定義がワイヤレス通信ネットワーク内で事前に提供される。再描画格子の定義もまた、製造プロセスの過程においてワイヤレス通信ネットワークの各通信装置のメモリに記憶されてもよく、その後、電源が投入されると、当該通信装置によって検索されてもよい。変形例では、図４に関して後に詳述するように、第１通信装置は再描画格子の動的定義に依存する。
【００５７】
言い換えると、第１通信装置は、再描画格子表現を形成するように、ワイヤレス通信ネットワークの時間周波数資源のグループを取得する。このように、グループの形成により、初期格子と比較すると、再描画格子内にはより少ない量の時間周波数資源しか存在していないので、再描画格子に従って実行される時間周波数資源の割り当ては、初期格子に従って実行される時間周波数資源の割り当てと比較して、少ないシグナリングビットしか要求しない。
【００５８】
再描画格子は、初期格子の連続する時間スロットに対して同等に、初期格子の隣接する周波数または周波数帯域を周波数超帯域（frequency super-band）にグループ化することによって形成可能である。
【００５９】
図８Ａに示す時間周波数資源の初期格子を考えると、時間周波数資源のそのような再描画格子の第１の例は、図８Ｂおよび８Ｃに示される。８Ｂおよび８Ｃに示す再描画格子は、初期格子の各時間スロットについて、各周波数超帯域内で、初期格子の周波数または周波数帯域（周波数資源）が量の観点で準一様に分布しているようなものである。初期格子の周波数または周波数帯域（周波数資源）は、図９Ａに示すように、当該周波数超帯域のうちで、量の観点で一様に分布していてもよい。
【００６０】
図８Ｂにおいて、図８Ａに示す時間周波数資源の再描画格子は、３つの周波数帯域８１１、８１２および８１３を形成するために周波数資源がグループ化されたものである。周波数帯域８１１、８１２および８１３は、図８Ｂでは破線により互いに分離されている。周波数帯域８１１は、図８Ａに示す初期格子のうち６個の周波数資源（すなわち２４５０ＭＨｚ〜２４８０ＭＨｚの、５ＭＨｚ幅の、６個の周波数資源）をカバーする。周波数帯域８１２は、図８Ａに示す初期格子のうち５個の周波数資源（すなわち２４２５ＭＨｚ〜２４５０ＭＨｚの、５ＭＨｚ幅の、５個の周波数資源）をカバーする。周波数帯域８１２は、図８Ａに示す初期格子のうち５個の周波数資源（すなわち２４００ＭＨｚ〜２４２５ＭＨｚの、５ＭＨｚ幅の、５個の周波数資源）をカバーする。図８Ｂおよび図８Ｃに示す再描画格子では、時間資源のグループは形成されず、周波数資源のグループのみが形成されている。図８Ｃには、初期格子から再描画格子を作成するために形成された時間周波数資源グループが示されている。周波数帯域８１１、８１２および８１３は、図８Ｃの再描画格子表現において区別可能に現れる。この場合、考慮中の時間フレームの各時間スロットについて、この再描画格子に従って、３つの時間周波数資源の割り当て（すなわち、周波数帯域８１１、８１２、８１３それぞれについて１つずつ）が実行可能である。比較すると、図８Ａに示す初期格子に従って、時間スロットごとに割り当てが１６個実行可能である。
【００６１】
このように、図８Ｃに示す再描画格子表現に依存することによって、各時間スロットについて、どの周波数資源が割り当てられるかを示すために２個のシグナリングビットが必要である。２個のシグナリングビットは、さらに、考慮中の時間スロットに周波数資源が割り当てられないことを示すことができる（考慮中の時間スロットに周波数資源が割り当てられないことを示すための値が１つ、考慮中の時間スロットに周波数帯域８１１が割り当てられることを示すための値が１つ、考慮中の時間スロットに周波数帯域８１２が割り当てられることを示すための値が１つ、考慮中の時間スロットに周波数帯域８１３が割り当てられることを示すための値が１つ）。この結果としてシグナリングビットの総数は４０個になり、これは、初期格子に依存する時に必要となる少なくとも８０個のシグナリングビットに比べると著しく少ない。
【００６２】
各周波数帯域８１１、８１２、８１３はそれぞれＷｉ−Ｆｉ（登録商標）システムにおける主チャネルの１つに対応するので、図８Ａに示す初期格子から図８Ｃに示す再描画格子を作成するために形成されるグループは特に有利である。さらに、周波数帯域８１１は電子レンジの動作によって影響を受け得る周波数帯域に対応する。したがって、Ｗｉ−Ｆｉ装置通信の結果として生じる干渉と、電子レンジの動作の結果として生じる干渉とは、周波数ホッピングにより容易にハンドリング可能である。
【００６３】
図８Ａに示す時間周波数資源の初期格子を考えると、図８Ｄおよび８Ｅに、時間周波数資源の再描画格子の第２の例が示されている。
【００６４】
図８Ｄにおいて、図８Ａに示す時間周波数資源の再描画格子は、２０個の時間スロットからなる考慮中の時間フレーム内の先頭から１２個の連続する時間スロットにわたる３つの周波数帯域８２１、８２２および８２３を形成するために周波数資源がグループ化されたものである。３つの周波数帯域８２１、８２２および８２３は、それぞれ、図８Ｂおよび８Ｃに示す再描画格子の３つの周波数帯域８１１、８１２、８１３に対応する。２０個の時間スロットからなる考慮中の時間フレームの、残る８個の時間スロットについては、すべての周波数資源が一緒に周波数帯域８２４にグループ化される。図８Ｄおよび８Ｅに示す再描画格子では、時間資源のグループは形成されず、周波数資源のグループのみが形成される。図８Ｅにおいて、初期格子から再描画格子を作成するために形成された時間周波数資源グループが示されている。周波数帯域８２１、８２２、８２３および８２４は、図８Ｅの再描画格子表現において区別可能に現れる。この場合、２０個の時間スロットからなる考慮中の時間フレーム内の先頭から１２個の連続する時間スロットに含まれる各時間スロットについて、この再描画格子に従って、３つの時間周波数資源の割り当て（すなわち、周波数帯域８２１、８２２、８２３それぞれについて１つずつ）が実行可能である。２０個の時間スロットからなる考慮中の時間フレームの、残る８個の時間スロットに含まれる各時間スロットについては、再描画格子に従って単一の割り当て（すなわち、周波数帯域８２４について１つの割り当て）が可能である。ここでも、比較すると、図８Ａに示す初期格子に従って、時間スロットごとに割り当てが１６個実行可能である。
【００６５】
このように、図８Ｅに示す再描画格子表現に依存することによって、２０個の時間スロットからなる考慮中の時間フレーム内の先頭から１２個の連続する各時間スロットに含まれる各時間スロットについて、どの周波数資源が割り当てられるかを示すために２個のシグナリングビットが必要である。２個のシグナリングビットは、さらに、考慮中の時間スロットに周波数資源が割り当てられないことを示すことができる（考慮中の時間スロットに周波数資源が割り当てられないことを示すための値が１つ、考慮中の時間スロットに周波数帯域８２１が割り当てられることを示すための値が１つ、考慮中の時間スロットに周波数帯域８２２が割り当てられることを示すための値が１つ、考慮中の時間スロットに周波数帯域８２３が割り当てられることを示すための値が１つ）。考慮中の時間フレームの、残る８個の時間スロットについては、各時間スロットについて、周波数帯域８２４に対応する周波数資源が割り当てられるか否かを示すために１つのシグナリングビットが必要である。この結果としてシグナリングビットの総数は３２個になり、これは、初期格子に依存する時に必要となる少なくとも８０個のシグナリングビットに比べると著しく少ない。さらに、３２ビットの長さを持つシグナリング情報は、ほとんどのコンピュータシステムのメモリ幅に有利に整合する。
【００６６】
図８Ａに示す時間周波数資源の初期格子を考えると、図８Ｆおよび８Ｇに、時間周波数資源の再描画格子の第３の例が示されている。
【００６７】
図８Ｆにおいて、図８Ａに示す時間周波数資源の再描画格子は、２０個の時間スロットからなる考慮中の時間フレーム内の先頭から１２個の連続する時間スロットについて、４つの周波数帯域８３１、８３２、８３３および８３４を形成するために周波数資源がグループ化されたものである。周波数帯域８３１、８３２、８３３および８３４は、図８Ｆでは破線により互いに分離されている。周波数帯域８３１は、図８Ａに示す初期格子のうち４個の周波数資源（すなわち２４６０ＭＨｚ〜２４８０ＭＨｚの、５ＭＨｚ幅の、４個の周波数資源）をカバーする。周波数帯域８３２は、図８Ａに示す初期格子のうち４個の周波数資源（すなわち２４４０ＭＨｚ〜２４６０ＭＨｚの、５ＭＨｚ幅の、４個の周波数資源）をカバーする。周波数帯域８３２は、図８Ａに示す初期格子のうち４個の周波数資源（すなわち２４２０ＭＨｚ〜２４４０ＭＨｚの、５ＭＨｚ幅の、４個の周波数資源）をカバーする。周波数帯域８３４は、図８Ａに示す初期格子のうち４個の周波数資源（すなわち２４００ＭＨｚ〜２４２０ＭＨｚの、５ＭＨｚ幅の、４個の周波数資源）をカバーする。図８Ｂおよび図８Ｃに示す再描画格子では、時間資源のグループは形成されず、周波数資源のグループのみが形成されている。２０個の時間スロットからなる考慮中の時間フレームの、残る８個の時間スロットについては、２つの周波数帯域８３５および８３６を形成するために周波数資源がグループ化される。周波数帯域８３５は、図８Ａに示す初期格子のうち８個の周波数資源（すなわち２４４０ＭＨｚ〜２４８０ＭＨｚの、５ＭＨｚ幅の、８個の周波数資源）をカバーする。周波数帯域８３６は、図８Ａに示す初期格子のうち８個の周波数資源（すなわち２４００ＭＨｚ〜２４４０ＭＨｚの、５ＭＨｚ幅の、８個の周波数資源）をカバーする。図８Ｇにおいて、初期格子から再描画格子を作成するために形成された時間周波数資源のグループが示されている。周波数帯域８３１、８３２、８３３、８３４、８３５および８３６は、図８Ｇの再描画格子表現において区別可能に現れる。この場合、この再描画格子に従って、２０個の時間スロットからなる考慮中の時間フレーム内の先頭から１２個の連続する時間スロットに含まれる各時間スロットについて、時間周波数資源の割り当てが４つ（すなわち、周波数帯域８３１、８３２、８３３、８３４それぞれについて１つずつ）実行可能である。この場合、この再描画格子に従って、２０個の時間スロットからなる考慮中の時間フレーム内の、残る８個の時間スロットに含まれる各時間スロットについて、割り当てが２つ（すなわち、周波数帯域８３５、８３６それぞれについて１つずつ）実行可能である。ここでもまた、比較すると、図８Ａに示す初期格子に従って、時間スロットごとに１６個の割り当てが実行可能である。
【００６８】
このように、図８Ｇに示す再描画格子表現に依存することによって、２０個の時間スロットからなる考慮中の時間フレーム内の先頭から１２個の連続する時間スロットに含まれる各時間スロットについて、どの周波数資源が割り当てられるかを示すために２個のシグナリングビットが必要である。ここでは、考慮中の時間フレームの時間スロットのそれぞれについて１つの周波数資源が割り当てられると考える。考慮中の時間フレームの、残る８個の時間スロットについては、各時間スロットについて、周波数帯域８３５、８３６のうちどの周波数資源が割り当てられるかを示すために１つのシグナリングビットが必要である。この結果としてシグナリングビットの総数は３２個になり、これは、初期格子に依存する時に必要となる少なくとも８０個のシグナリングビットに比べると著しく少ない。さらに、３２ビットの長さを持つシグナリング情報は、ほとんどのコンピュータシステムのメモリ幅に有利に整合する。
【００６９】
時間周波数資源の再描画格子は、他の様々な形式を取り得る。図８Ｂ〜８Ｇは、初期格子の周波数資源軸に沿って形成されたグループを示しているが、これに代えて、グループは時間資源軸に沿って形成されてもよい。また、グループは周波数資源軸および時間資源軸の双方に沿って形成されてもよい。
【００７０】
より一般的な手法では、再描画格子を作成するために形成されるグループは、次の制約を満たす：
【００７１】
【数２】
2016536813.tif 000004
【００７２】
ただし、
‐┌  ┐は、天井演算子(the ceil operator)を表し、
‐ｎは、初期格子から形成されたグループの量を表し、
‐Ｎｉは、インデックスｉによって識別される、あるグループ内に存在する初期格子の時間スロット（時間資源）の量を表し、
‐Ｎｔは、初期格子の時間スロット（時間資源）の量（すなわち図８Ａに示す初期格子に従ってＮｔ＝２０）を表し、
‐ＳＢｉは、インデックスｉによって識別されるグループ内の時間スロット（時間資源）それぞれに対する周波数超帯域の量を表し、
‐Ｂｔは、再描画格子に従って当該伝送にどの時間周波数資源が割り当てられるかを示すために利用可能なシグナリングビットの目標量を表す。
【００７３】
上記の説明（より詳細には、シグナリング情報の例示的な例）は、時間スロットごとのシグナリングに依存する（すなわち、第１通信装置によって当該時間スロットにおいてどの周波数資源が割り当てられたかを各時間スロットについて示すために、Ｎ個（Ｎ＞０）という量のシグナリングビットが提供される）。別の実施形態では、２０個の時間スロットに関するすべての割り当てが、すべての割り当て可能性の間のマッピング（２０個の時間スロットにわたる３個の周波数超帯域が定義されている時には３２０の割り当て可能性）と、所定長のシグナリングワード（たとえば３２ビット）とを使用して一緒にシグナリングされる。このマッピングは、コードブック(codebook)に表されてもよい。コードブックのサイズを縮小するために、所定量の時間スロットからなる組によって割り当てが考慮されてもよい（たとえば５個の時間スロットが一緒に考えられる）。したがって、所定量の時間スロットの可能な割り当てそれぞれに１つのシグナリングワードが付与される。このように、図８Ｃに示す再描画格子を考慮し、５個の時間スロットを一緒にしての割り当てを表すシグナリングワードを考慮する時には、３５個の割り当て可能性が存在し（図８Ｃにおいて、２０個の時間スロットにわたる３個の周波数超帯域が定義されている）、これは８ビットに等しい長さのシグナリングワードによって表され得る。最後に、割り当て２０個に対するシグナリングは、５個の時間スロットからなる組の割り当てを４個必要とする。この結果としてシグナリングビットの総数は３２個になり、これは、初期格子に依存する時に必要となる少なくとも８０個のシグナリングビットに比べると著しく少ない。さらに、３２ビットの長さを持つシグナリング情報は、ほとんどのコンピュータシステムのメモリ幅に有利に整合する。
【００７４】
図３に戻り、続くステップＳ３０２において、第１通信装置は、当該伝送を可能にするために、取得した再描画格子表現に従って時間周波数資源を割り当てる。言い換えると、第１通信装置は、取得した再描画格子表現に依存することによって割り当てを実行する。したがって、取得された再描画格子表現を形成するために少なくとも１つの他の時間周波数資源とグループ化された時間周波数資源は、独立に割り当てることはできない。時間周波数資源の割り当ては、周波数ダイバーシティと干渉に対する頑強性とを当該伝送に提供し、したがって当該伝送の性能（すなわち成功率）を改善するために、周波数ホッピング基準に従って実行される。
【００７５】
続くステップＳ３０３において、第１通信装置は、ワイヤレス通信ネットワーク内でシグナリング情報を提供する。たとえば、第１通信装置がＡＰ１１０である時には、ＡＰ１１０は、当該伝送にどの時間周波数資源が割り当てられたかを移動端末１２０が決定できるようにするために、移動端末１２０に当該シグナリング情報を送信する。この場合には、当該伝送はＡＰ１１０から移動端末１２０へのダウンリンク伝送であり、そのために、移動端末１２０は、そのダウンリンク伝送を実行するためにＡＰ１１０によってどの時間周波数資源が使用されるかを知る必要があるか、および／または、当該伝送は移動端末１２０からＡＰ１１０へのアップリンク伝送であり、そのために、移動端末１２０は、そのアップリンク伝送を実行するために移動端末１２０によってどの時間周波数資源が使用されるべきであるかを知る必要がある。
【００７６】
シグナリング情報は、当該伝送を可能にするために、少なくとも、時間周波数資源の取得された再描画格子に従ってどの時間周波数資源が割り当てられたかを表す。
【００７７】
続くステップＳ３１０において、第２通信装置は、第１装置によってステップＳ３０３で送信されたシグナリング情報を受信する。
【００７８】
続くステップＳ３１１において、第２通信装置は、受信したシグナリング情報から、時間周波数資源（ステップＳ３０２において再描画格子に従って割り当てられたもの）を取得する。
【００７９】
続くステップＳ３１２において、第２通信装置は、再描画格子表現に従って割り当てられた決定された時間周波数資源に、所定のパターンマスクを適用する。所定のパターンマスクを適用することにより、第２通信装置は、当該伝送を実行するために初期格子のどの時間周波数資源が実効的に使用される必要があるかを決定できるようになる（シグナリング情報は再描画格子しか参照しないが）。再描画格子の時間周波数資源のグループに適用される時には、この所定のパターンマスクにより、第２通信装置は、当該伝送を実行するために当該グループのどの時間周波数資源が実効的に使用される必要があるかを決定できるようになる。このパターンマスクは、再描画格子の割り当てられる各時間周波数資源において、時間スロットごとに初期格子の時間周波数資源が１つだけ実効的に割り当てられるようなものである。これにより、再描画格子に従って割り当てられた時間周波数資源にパターンマスクを適用した後には、時間スロットごとに初期格子の時間周波数資源が１つだけ割り当てられるということが保証される。
【００８０】
図３のアルゴリズムの範囲内において、第２通信装置はパターンマスクの静的定義に依存することが考えられる。その場合、パターンマスクは事前に決定され、たとえばワイヤレス通信ネットワークの設置または初期化の際に、その定義がワイヤレス通信ネットワーク内で事前に提供される。パターンマスクの定義もまた、製造プロセスの過程においてワイヤレス通信ネットワークの各通信装置のメモリに記憶されてもよく、その後、電源が投入されると、当該通信装置によって検索されてもよい。変形例では、図４に関して後に詳述するように、第２通信装置はパターンマスクの動的定義に依存する。
【００８１】
続くステップＳ３１３において、当該伝送を実行するために、初期格子表現に従ってステップＳ３１２で特定された時間周波数資源が使用される。たとえば、第２通信装置が移動端末１２０である時には、移動端末１２０は、ＡＰ１１０からのダウンリンク通信を介してデータを受信するために、および／または、ＡＰ１１０にアップリンク通信を介してデータを送信するために、ステップＳ３１２で特定された時間周波数資源を使用する。
【００８２】
図９Ａ〜９Ｃに示すような、図３のアルゴリズムの実行の例示的な結果を考えよう。図９Ａは、ステップＳ３０１を実行することによって取得される再描画格子を表す。８Ａに示す初期格子を考えると、時間周波数資源は４個の周波数帯域を形成するためにグループ化されている。このように、グループは時間スロットごとに形成される。したがって、各グループは、初期格子の時間周波数資源４個からなる。
【００８３】
図９Ａにおいて、黒い長方形は、ステップＳ３０２で当該伝送に対して割り当てられた時間周波数資源を表す。白い長方形は、ステップＳ３０２で当該伝送に対して割り当てられなかった時間周波数資源を表す。したがって、ステップＳ３０３で第１通信装置によって提供されるシグナリング情報は、図９Ａに示す黒い長方形を表す。
【００８４】
図９Ｂは、当該伝送を実行するために、初期格子のどの時間周波数資源が使用される必要があるかを決定するために使用可能なパターンマスクを表す。このパターンマスクは、時間周波数資源の初期格子上に表現される。明確さのために、再描画格子のグループを形成可能にした周波数帯域（そのような周波数帯域の定義はパターンマスクの範囲外であるが）が、破線を利用して示される。図９Ｂに表される黒い正方形は、伝送を実行するために使用され得る時間周波数資源に対応し、白い正方形は、伝送を実行するために使用され得ない時間周波数資源に対応する。
【００８５】
図９Ｂのパターンマスクと図９Ａの再描画格子とを重ねると、再描画格子の各グループ内で初期格子の資源がただ１つだけ、黒い正方形によりマークされるということに留意すべきである。これにより、再描画格子に従って割り当てられた時間周波数資源にマスクを適用した後には、時間スロットごとに初期格子の資源がただ１つだけ割り当てられるということが保証される。
【００８６】
図９Ｃは、初期格子の、当該伝送を実行するために使用される必要がある各時間周波数資源を表す。図９Ｃに表される黒い正方形は、当該伝送を実行するために使用されるべき時間周波数資源に対応し、白い正方形は、当該伝送を実行するために使用されるべきでない時間周波数資源に対応する。このように、当該伝送を実行するために使用されるべき時間周波数資源は、図９Ａおよび図９Ｂに示す各格子を重ねることにより取得される。再描画格子に従って割り当てられる時間周波数資源（図９Ａの黒い長方形）のみが考慮され、その後、再描画格子に従って割り当てられる当該時間周波数資源内で、パターンマスク内でマークされた時間周波数資源（図９Ｂの黒い正方形）だけが、当該伝送を実行するために使用されるべき時間周波数資源として考慮される。
【００８７】
図４は、本発明の実施の形態２による、ワイヤレス通信ネットワーク内で伝送を実行するために使用されるべき時間周波数資源を決定するためのアルゴリズムを概略的に表す。図４のアルゴリズムと図３のアルゴリズムとの相違は、図４のアルゴリズムでは再描画格子および／またはパターンマスクが動的に選択されるということにある。
【００８８】
図４のアルゴリズムは、２つの部分（Ｓ４２０およびＳ４３０）からなる。第１部分Ｓ４２０は、ワイヤレス通信ネットワーク内で伝送を実行するために時間周波数資源を割り当てる処理に関する。第１部分Ｓ４２０は、ＡＰまたはサーバ１００によって実行することができる。第２部分Ｓ４３０は、伝送を実行するためにどの時間周波数資源が実効的に割り当てられたかをシグナリング情報から決定する処理に関する。第２部分Ｓ４３０は、ＡＰまたはサーバ１００によって実行することができる。一般的考慮のもとでは、第１部分Ｓ４２０は、第１通信装置（ワイヤレス通信ネットワーク内で伝送を可能にするための時間周波数資源割り当ての役割を担うもの）によって実行され、第２部分Ｓ４３０は、第２通信装置（ワイヤレス通信ネットワーク内で当該伝送を可能にするために実効的に割り当てられた時間周波数資源を決定する用意があるもの）によって実行される。
【００８９】
図４のアルゴリズムにおいて、第１部分Ｓ４２０は、ステップＳ４０１〜Ｓ４０３の系列からなり、第２部分Ｓ４３０は、ステップＳ４１０〜Ｓ４１４の系列からなる。
【００９０】
ステップＳ４０１において、第１通信装置は、時間周波数資源の所定の再描画格子の集合から、ある再描画格子を選択する。この所定の再描画格子は、図３に関して既に述べたように、初期格子の時間周波数資源をグループ化することにより取得される。再描画格子の動的選択は、図５に関して、特定の実施形態において、以下に説明される。
【００９１】
続くステップＳ４０２において、第１通信装置は、所定のパターンマスクの集合から、あるパターンマスクを選択する。パターンマスクの動的選択は、図６に関して、特定の実施形態において、以下に説明される。
【００９２】
再描画格子およびパターンマスクそれぞれの動的選択は、共同で(jointly)実行されてもよい。再描画格子およびパターンマスクの共同動的選択は、図７に関して、特定の実施形態において、以下に説明される。
【００９３】
さらに、図４は再描画格子およびパターンマスクの動的選択を表すが、再描画格子のみまたはパターンマスクのみが第１通信装置によって動的に選択されてもよい。
【００９４】
続くステップＳ４０３において、第１通信装置は、当該伝送を可能にするために、選択され再描画格子表現に従って時間周波数資源を割り当てる。言い換えると、第１通信装置は、選択された再描画格子表現に依存することによって割り当てを実行する。時間周波数資源の割り当ては、周波数ダイバーシティを当該伝送に提供するように、周波数ホッピング基準に従って実行される。
【００９５】
再描画格子は、時間周波数資源のグループが形成された初期格子に基づいているので、これは、割り当てられる時間周波数資源に関して第２通信装置に通知するために必要なシグナリングビットがより少ないということを意味する。
【００９６】
続くステップＳ４０４において、第１通信装置は、ワイヤレス通信ネットワーク内でシグナリング情報を提供する。たとえば、第１通信装置はＡＰ１１０である時には、ＡＰ１１０は、当該伝送にどの時間周波数資源が割り当てられたかを移動端末１２０が決定できるようにするように、移動端末１２０に当該シグナリング情報を送信する。この場合には、当該伝送はＡＰ１１０から移動端末１２０へのダウンリンク伝送であり、そのために、移動端末１２０は、そのダウンリンク伝送を実行するためにＡＰ１１０によってどの時間周波数資源が使用されるかを知る必要があるか、および／または、当該伝送は移動端末１２０からＡＰ１１０へのアップリンク伝送であり、そのために、移動端末１２０は、そのアップリンク伝送を実行するために移動端末１２０によってどの時間周波数資源が使用されるべきであるかを知る必要がある。
【００９７】
シグナリング情報は、当該伝送を可能にするために、少なくとも、時間周波数資源の取得された再描画格子に従ってどの時間周波数資源が割り当てられたかを表す。再描画格子が第１通信装置によって動的に選択されていた時には、シグナリング情報はさらに、その選択された再描画格子を表す。パターンマスクが第１通信装置によって動的に選択されていた時には、シグナリング情報はさらに、その選択されたパターンマスクを表す。
【００９８】
続くステップＳ４１０において、第２通信装置は、第１装置によってステップＳ４０３で送信されたシグナリング情報を受信する。
【００９９】
続くステップＳ４１１において、第２通信装置は、受信したシグナリング情報から、ステップＳ３０２において再描画格子に従って割り当てられた時間周波数資源を取得する。
【０１００】
続くステップＳ４１２において、第２通信装置は、当該伝送を実行するために、初期格子のどの時間周波数資源が使用される必要があるかを決定するために適用されるべきパターンマスクを表す情報を、受信したシグナリング情報から取得する。
【０１０１】
続くステップＳ４１３において、第２通信装置は、再描画格子表現に従って割り当てられた決定された時間周波数資源に、取得したパターンマスクを適用する。
【０１０２】
図３のアルゴリズムの場合と同様に、取得したパターンマスクを適用することにより、第２通信装置は、当該伝送を実行するために初期格子表現のどの時間周波数資源が実効的に使用される必要があるかを決定できるようになる（シグナリング情報は再描画格子表現しか参照しないが）。
【０１０３】
一実施形態では、第１通信装置が所定のパターンマスクの集合からパターンマスクを選択する時には、当該パターンマスクは相互に同レベルの直交性を持つ。そのような構成は、サーバ１００がＡＰを代表してパターンマスクを選択する時に特に有用である。この場合には、サーバ１００は、隣接するセルにおいて使用される時間周波数資源が直交するか、または相互に同レベルの干渉を観測するということを保証することができる。
【０１０４】
これを達成するために、２つの周波数資源間の周波数距離に依存する同一チャネル（このチャネルは、本明細書に記載される周波数ホッピングメカニズムが適用される周波数スペクトルであり、たとえばＩＳＭ周波数帯域）干渉の関数として、直交性因子ＯＦが定義されてもよい。パターンマスクを定義する時には、パターンマスク間の直交性因子ＯＦを等化することが目的の１つとなる。これらのパターンマスクは、再描画格子の、割り当てられる時間周波数資源のそれぞれにおいて、時間スロットごとに、初期格子の時間周波数資源が１つだけ実効的に割り当てられるものであるということに留意する。
【０１０５】
実施の形態１において、Ｗ（ｆ１−ｆ２）を、周波数資源ｆ１およびｆ２の間の同一チャネル干渉の測定値とする。Ｉ１およびＩ２を、２つのパターンマスクとともにそれぞれ考慮されるべき各再描画格子内でｖ個の連続する時間スロットの量にわたって等しく形成される当該１つの周波数超帯域内で当該２つのパターンマスクによって定義される時間周波数資源系列とする。Ｉ１は第１の時間周波数資源系列［ｆ（Ｉ１，１），…，ｆ（Ｉ１，ｖ）］に対応し、Ｉ２は第２の時間周波数資源系列［ｆ（Ｉ２，１），…，ｆ（Ｉ２，ｖ）］に対応する。第１の例によれば、図８Ｃに示す再描画格子を考慮する時には、考慮中の時間フレームの２０個の時間スロットにわたって３個の周波数超帯域が定義される。この場合には、直交性因子ＯＦは、当該２０個の時間スロットにわたる当該各周波数超帯域内の時間周波数資源系列の結合(couples)の間で計算可能である（ｖ＝２０）。第２の例によれば、図８Ｅに示す再描画格子を考慮する時には、考慮中の時間フレームの先頭から１２個の連続する時間スロットにわたって３個の周波数超帯域が定義され、考慮中の時間フレームの末尾から８個の連続する時間スロットにわたって１個の周波数超帯域が定義される。この場合には、直交性因子ＯＦは、考慮中の時間フレームの当該先頭から１２個の連続する時間スロットにわたる当該各周波数超帯域内の時間周波数資源系列の結合の間で計算可能である。したがって、パターンマスクの第１部分が、考慮中の時間フレームの当該先頭から１２個の連続する時間スロットについて定義可能である（ｖ＝１２）。この場合には、直交性因子ＯＦは、考慮中の時間フレームの当該末尾から８個の連続する時間スロットにわたる当該各周波数超帯域内の時間周波数資源系列の結合の間で計算可能である。したがって、パターンマスクの第２部分が、考慮中の時間フレームの末尾から８個の連続する時間スロットについて定義可能である（ｖ＝８）。
【０１０６】
直交性因子ＯＦは、次のように定義される：
ＯＦ（Ｉ１，Ｉ２）  ＝
Ｗ（ｆ（Ｉ１；１）−ｆ（Ｉ２；１））
＋Ｗ（ｆ（Ｉ２；１）−ｆ（Ｉ１；１））
＋…
＋Ｗ（ｆ（Ｉ１；ｖ）−ｆ（Ｉ２；ｖ））
＋Ｗ（ｆ（Ｉ２；ｖ）−ｆ（Ｉ１；ｖ））
【０１０７】
その後、パターンマスクの集合が、当該集合の各パターンマスクを表す任意の系列ＩｍおよびＩｋについて次の関係が満たされるように選択される：
｜ＯＦ（Ｉｍ，Ｉｋ）｜≦Ｄ
ただしＤは所定の閾値である。
【０１０８】
このように、選択されたパターンマスクへと導く系列Ｉ１およびＩ２の各結合の間の超帯域内干渉に対する頑強性が改善される。
【０１０９】
実施の形態２では、少なくとも１つの時間スロットについて再描画格子によって複数の周波数超帯域が定義されている時に、２つのパターンマスク間に超帯域内干渉および超帯域間干渉が存在し得る。実施の形態２は、この超帯域内干渉および超帯域間干渉を改善することを目的とする。Ｗ（ｆ１−ｆ２）を、周波数資源ｆ１およびｆ２の間の同一チャネル干渉の測定値とする。Ｉ’１を、第１のパターンマスクとともに考慮されるべき再描画格子内でｖ個の連続する時間スロットの量にわたって等しく形成される第１の当該周波数超帯域ｉ内で、および、当該再描画格子内で当該ｖ個の連続する時間スロットにわたって等しく形成される第２の当該周波数超帯域ｊ内で、当該第１のパターンマスクによって定義される時間周波数資源系列とする。ｉ≠ｊの時には超帯域間干渉が考慮され、ｉ＝ｊの時には超帯域内干渉が考慮されるということに留意すべきである。Ｉ’２を、当該再描画格子内で当該ｖ個の連続する時間スロットにわたって、当該第１の周波数超帯域内で、および、当該第２の周波数超帯域内で、第２のパターンマスクによって定義される時間周波数資源系列とする。Ｉ’１は第１の時間周波数資源系列［ｆｉ（Ｉ’１；１），ｆｊ（Ｉ’１；１），…，ｆｉ（Ｉ’１；ｖ），ｆｊ（Ｉ’１；ｖ）］に対応し、Ｉ’２は第２の時間周波数資源系列［ｆｉ（Ｉ’２；１），ｆｊ（Ｉ’２；１），…，ｆｉ（Ｉ’２；ｖ），ｆｊ（Ｉ’２；ｖ）］に対応する。直交性因子ＯＦは、当該ｖ個の連続する時間スロットにわたる複数の周波数超帯域内の時間周波数資源系列の結合の間で計算可能である。
【０１１０】
直交性因子ＯＦは、次のように定義される：
ＯＦ（Ｉ’１，Ｉ’２）  ＝
ｍａｘｉ，ｊ（Ｗ（ｆｉ（Ｉ’１，１）−ｆｊ（Ｉ’２，１））＋Ｗ（ｆｉ（Ｉ’２，１）−ｆｊ（Ｉ’１，１）））
＋…
＋ｍａｘｉ，ｊ（Ｗ（ｆｉ（Ｉ’１，ｖ）−ｆｊ（Ｉ’２，ｖ））＋Ｗ（ｆｉ（Ｉ’２，ｖ）−ｆｊ（Ｉ’１，ｖ）））
【０１１１】
その後、パターンマスクの集合が、当該集合の各パターンマスクを表す任意の系列Ｉ’ｍおよびＩ’ｋについて次の関係が満たされるように選択される：
｜ＯＦ（Ｉ’ｍ，Ｉ’ｋ）｜≦Ｄ
【０１１２】
このように、選択されたパターンマスクへと導く系列Ｉ’１およびＩ’２の各結合の間の超帯域間干渉および超帯域内干渉に対する頑強性が改善される。
【０１１３】
図５は、ワイヤレス通信ネットワーク内で当該伝送を実行するために使用されるべき時間周波数資源の割り当てをシグナリングするために使用されるべき時間周波数資源の再描画格子を決定するためのアルゴリズムを概略的に表す。
【０１１４】
ステップＳ５０１において、第１通信装置は、時間周波数資源の初期格子の時間周波数資源をグループ化することによって取得された所定の再描画格子の集合のうちから、ある再描画格子を選択する。
【０１１５】
続くステップＳ５０２において、第１通信装置は、選択された再描画格子について干渉に対する頑強性を表す第１の性能指数（figure of merit）を計算する。性能指数は、所定の関数を適用した結果として得られる、当該伝送を実行するために割り当て可能な時間周波数資源の系列の性能を特徴付けるために使用される量である。
【０１１６】
たとえば、信号対干渉雑音比（ＳＩＮＲ）に関する知識が第１通信装置に利用可能とされている時には、各時間スロットおよび周波数資源について、第１通信装置は、最大化されなければならない性能測度（チャネル容量等）を計算することができる。したがって、選択された再描画格子と、第２通信装置によって適用されるべきパターンマスク（このパターンマスクは、図５のアルゴリズムの範囲内で固定される）とを組み合わせることにより、次の数式の恩恵により、ｎ回の伝送について等価達成可能平均データレートが計算可能である。
【０１１７】
【数３】
2016536813.tif 000005
【０１１８】
ただし、ＳＩＮＲ（ｋ）は、選択された再描画格子および当該パターンマスクに従って選択されるｋ番目の時間周波数資源において期待されるＳＩＮＲである。
【０１１９】
続くステップＳ５０３において、第１通信装置は、所定の再描画格子の集合内の少なくとも１つの他の再描画格子が未処理のままであるか否かをチェックする。そのような他の再描画格子の少なくとも１つが未処理のままである時には、そのような他の再描画格子を１つ選択することによりステップＳ５０１が繰り返される。そうでなければ、ステップＳ５０４が実行される。
【０１２０】
ステップＳ５０４において、第１通信装置は、所定の再描画格子の集合のうちから、最良の第１の性能指数を示す再描画格子を選択する。その後、選択された再描画格子は、時間周波数資源の割り当てを実行し、さらに対応するシグナリング情報を提供するために、第１通信装置によって使用される。図５のアルゴリズムは、第１通信装置が適切な再描画格子を動的に選択できるようにするので、第１通信装置によって提供されるシグナリング情報は、所定の再描画格子の集合のうちからの、選択された再描画格子を表すことになる。たとえば、所定の再描画格子の集合の濃度が４に等しい時には、第２通信装置が所定の再描画格子の集合のアプリオリな知識を持っている時には、所定の再描画格子の集合のうちからどの再描画格子が第１通信装置によって選択されたかを示すために２つのシグナリングビットが使用可能である。この場合には、そのようなシグナリングビットは、所定の再描画格子の集合内での選択された再描画格子のインデックスとなり得る。そのようなシグナリングビットは、シグナリング情報が提供される必要がある都度転送される必要はない。再描画格子は、時間周波数資源の連続する複数の割り当てに対して選択され使用されてもよい。
【０１２１】
図６は、ワイヤレス通信ネットワーク内で当該伝送を実行するために使用されるべき時間周波数資源の割り当てをシグナリング情報から決定するために使用されるべきパターンマスクを決定するためのアルゴリズムを概略的に表す。
【０１２２】
ステップＳ６０１において、第１通信装置は所定のパターンマスクの集合のうちから、あるパターンマスクを選択する。
【０１２３】
続くステップＳ６０２において、第１通信装置は、選択されたパターンマスクについて、干渉に対する頑強性を表す第２の性能指数を計算する。
【０１２４】
たとえば、信号対干渉雑音比（ＳＩＮＲ）に関する知識が第１通信装置に利用可能とされている時には、各時間スロットおよび周波数資源について、第１通信装置は、最大化されなければならない性能測度（チャネル容量等）を計算することができる。したがって、その再描画格子（この再描画格子は、図６のアルゴリズムの範囲内で固定される）と、選択されたパターンマスクとを組み合わせることにより、次の数式の恩恵により、ｎ回の伝送について等価達成可能平均データレートが計算可能である。
【０１２５】
【数４】
2016536813.tif 000006
【０１２６】
ただし、ＳＩＮＲ（ｋ）は、当該再描画格子および選択されたパターンマスクに従って選択されるｋ番目の時間周波数資源において期待されるＳＩＮＲである。
【０１２７】
続くステップＳ６０３において、第１通信装置は、所定のパターンマスクの集合内の少なくとも１つの他のパターンマスクが未処理のままであるか否かをチェックする。そのような他のパターンマスクの少なくとも１つが未処理のままである時には、そのような他のパターンマスクを１つ選択することによりステップＳ６０１が繰り返される。そうでなければ、ステップＳ６０４が実行される。
【０１２８】
ステップＳ６０４において、第１通信装置は、所定のパターンマスクの集合のうちから、最良の第２の性能指数を示すパターンマスクを選択する。その後、選択されたパターンマスクは、当該伝送を実行するために使用されるべき初期格子表現の時間周波数資源を決定するために、第２通信装置によって使用される。図６のアルゴリズムは、第１通信装置が適切なパターンマスクを動的に選択できるようにするので、第２通信装置が所定のパターンマスクの集合のアプリオリな知識を持っている時には、第１通信装置によって提供されるシグナリング情報は、所定のパターンマスクの集合のうちからの、選択されたパターンマスクを表すことになる。この場合には、そのようなシグナリングビットは、所定のパターンマスクの集合内での選択されたパターンマスクのインデックスとなり得る。たとえば、所定のパターンマスクの集合の濃度が４に等しい時には、所定のパターンマスクの集合のうちのどのパターンマスクが第１通信装置によって選択されたかを示すために２つのシグナリングビットが使用可能である。そのようなシグナリングビットは、シグナリング情報が提供される必要がある都度転送される必要はない。パターンマスクは、時間周波数資源の連続する複数の割り当てに対して選択され使用されてもよい。
【０１２９】
図７は、ワイヤレス通信ネットワーク内で当該伝送を実行するために使用されるべき時間周波数資源の割り当てをシグナリングするために使用されるべき時間周波数資源の再描画格子と、ワイヤレス通信ネットワーク内で当該伝送を実行するために使用されるべき時間周波数資源の割り当てをシグナリング情報から決定するために使用されるべきパターンとを決定するためのアルゴリズムを概略的に表す。
【０１３０】
ステップＳ７０１において、第１通信装置は、時間周波数資源の初期格子の時間周波数資源をグループ化することによって取得された所定の再描画格子の集合のうちから、ある再描画格子を選択する。
【０１３１】
ステップＳ７０２において、第１通信装置は、所定のパターンマスクの集合のうちから、あるパターンマスクを選択する。
【０１３２】
続くステップＳ７０３において、第１通信装置は、選択されたパターンマスクおよび選択された再描画格子について、干渉に対する頑強性を表す第３の性能指数を計算する。
【０１３３】
たとえば、信号対干渉雑音比（ＳＩＮＲ）に関する知識が第１通信装置に利用可能とされている時には、各時間スロットおよび周波数資源について、第１通信装置は、最大化されなければならない性能測度（チャネル容量等）を計算することができる。したがって、選択された再描画格子と選択されたパターンマスクとを組み合わせることにより、次の数式の恩恵により、ｎ回の伝送について等価達成可能平均データレートが計算可能である。
【０１３４】
【数５】
2016536813.tif 000007
【０１３５】
ただし、ＳＩＮＲ（ｋ）は、選択された再描画格子および選択されたパターンマスクに従って選択されるｋ番目の時間周波数資源において期待されるＳＩＮＲである。
【０１３６】
続くステップＳ７０４において、第１通信装置は、所定のパターンマスクの集合内の少なくとも１つの他のパターンマスクが未処理のままであるか否かをチェックする。そのような他のパターンマスクの少なくとも１つが未処理のままである時には、そのような他のパターンマスクを１つ選択することによりステップＳ７０２が繰り返される。そうでなければ、ステップＳ７０５が実行される。
【０１３７】
ステップＳ７０５において、第１通信装置は、所定の再描画格子の集合内の少なくとも１つの他の再描画格子が未処理のままであるか否かをチェックする。そのような他の再描画格子の少なくとも１つが未処理のままである時には、そのような他の再描画格子を１つ選択することによりステップＳ７０１が繰り返される。そうでなければ、ステップＳ７０６が実行される。
【０１３８】
ステップＳ７０６において、第１通信装置は、所定のパターンマスクの集合のうちからパターンマスクを選択し、所定の再描画格子の集合のうちから再描画格子を選択する（ただしこれらは共同で最良の第３の性能指数を示すものを選択する）。その後、選択された再描画格子は、時間周波数資源の割り当てを実行し、さらに対応するシグナリング情報を提供するために、第１通信装置によって使用される。その後、選択されたパターンマスクは、当該伝送を実行するために使用されるべき初期格子表現の時間周波数資源を決定するために、第２通信装置によって使用される。図７のアルゴリズムは、第１通信装置が適切なパターンマスクおよび再描画格子を動的に選択できるようにするので、第２通信装置が所定の再描画格子の集合および所定のパターンマスクの集合のアプリオリな知識を持っている時には、第１通信装置によって提供されるシグナリング情報は、所定のパターンマスクの集合のうちからの、選択されたパターンマスクと、所定の再描画格子の集合のうちからの、選択された再描画格子とを表すことになる。この場合には、そのようなシグナリングビットは、所定の再描画格子の集合内での選択された再描画格子のインデックスおよび所定のパターンマスクの集合内での選択されたパターンマスクのインデックスとなり得る。たとえば、所定のパターンマスクの集合の濃度が４に等しく、所定の再描画格子の集合の濃度が４に等しい時には、所定のパターンマスクの集合のうちからどのパターンマスクが第１通信装置によって選択されたかおよび所定の再描画格子の集合のうちからどの再描画格子が第１通信装置によって選択されたかを示すために、４つのシグナリングビットが使用可能である。変形例では、その場合に、そのようなシグナリングビットは、そのような１つの再描画格子とそのような１つのパターンマスクとの可能な組み合わせをすべてリストしたコードブックのうちの１つのコードとなり得る。そのようなシグナリングビットは、シグナリング情報が提供される必要がある都度転送される必要はない。パターンマスクおよび再描画格子は、時間周波数資源の連続する複数の割り当てに対して選択され使用されてもよい。
【図１】
2016536813.tif 000009
【図２】
2016536813.tif 000010
【図３】
2016536813.tif 000011
【図４】
2016536813.tif 000012
【図５】
2016536813.tif 000013
【図６】
2016536813.tif 000014
【図７】
2016536813.tif 000015
【図８Ａ】
2016536813.tif 000016
【図８Ｂ】
2016536813.tif 000017
【図８Ｃ】
2016536813.tif 000018
【図８Ｄ】
2016536813.tif 000019
【図８Ｅ】
2016536813.tif 000020
【図８Ｆ】
2016536813.tif 000021
【図８Ｇ】
2016536813.tif 000022
【図９Ａ】
2016536813.tif 000023
【図９Ｂ】
2016536813.tif 000024
【図９Ｃ】
2016536813.tif 000025
【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク内で伝送を実行するために使用されるべき前記ワイヤレス通信ネットワークの時間周波数資源のうちから時間周波数資源を決定する方法であって、前記伝送は、前記伝送を実行するために使用可能な時間周波数資源の初期格子表現に従って前記ワイヤレス通信ネットワークの時間周波数資源を介して実行され、前記時間資源は時間スロットに分割される、方法において、
前記方法は、時間周波数資源を割り当てる役割を担う第１の装置が、
‐再描画格子表現を形成するように、前記初期格子表現の時間周波数資源のグループを取得することと、
‐前記再描画格子表現に従い、周波数ホッピング基準に従って、時間周波数資源を割り当てることと、
‐前記再描画格子表現に従って割り当てられた前記時間周波数資源を表すシグナリング情報を提供することと、
を実行することを特徴とし、かつ、
前記方法は、前記初期格子のどの時間周波数資源が前記伝送を実行するために使用されるべきかを決定するために、第２の装置が、
‐前記再描画格子表現に従って割り当てられた前記時間周波数資源を決定するように、前記第１の装置によって提供された前記シグナリング情報を取得することと、
‐前記再描画格子表現に従って割り当てられた前記決定された時間周波数資源に所定のパターンマスクを適用することであって、前記パターンマスクは、前記再描画格子の割り当てられた時間周波数資源それぞれにおいて、時間スロットごとに前記初期格子の時間周波数資源が１つだけ実効的に割り当てられるようなものである、所定のパターンマスクを適用することと
を実行することを特徴とする、方法。
【請求項２】
前記第１の装置は、第１の複数の所定の再描画格子のうちから１つの再描画格子を選択することによって時間周波数資源の前記グループを定義し、
前記第１の装置は、どの再描画格子が選択されたかを前記シグナリング情報において示し、
前記第２の装置は、どの再描画格子が選択されたかを前記シグナリング情報から決定する、
ことを特徴とする、請求項１に記載の方法。
【請求項３】
前記第１の装置は、
‐前記第１の複数に含まれる各再描画格子について、前記選択された再描画格子について干渉に対する頑強性を表す第１の性能指数を計算することと、
‐最良の第１の性能指数を示す、前記第１の複数に含まれる前記再描画格子を選択することと
によって前記再描画格子を選択することを特徴とする、請求項２に記載の方法。
【請求項４】
前記第１の装置は、第２の複数の所定のパターンマスクのうちから１つのパターンマスクを選択し、
前記第１の装置は、どのパターンマスクが選択されたかを前記シグナリング情報において示し、
前記第２の装置は、初期格子のどの時間周波数資源が前記伝送を実行するために使用されるべきかを決定するために、前記選択されたパターンマスクを適用する
ことを特徴とする、請求項１〜３のいずれか一項に記載の方法。
【請求項５】
前記第１の装置は、
‐前記第２の複数に含まれる各パターンマスクについて、前記パターンマスクについて干渉に対する頑強性を表す第２の性能指数を計算することと、
‐最良の第２の性能指数を示す、前記第２の複数に含まれる前記パターンマスクを選択することと
によって前記パターンマスクを選択することを特徴とする、請求項４に記載の方法。
【請求項６】
前記第１の装置は、第２の複数の所定のパターンマスクのうちから１つのパターンマスクを選択し、
前記第１の装置は、どのパターンマスクが選択されたかを前記シグナリング情報において示し、
前記第２の装置は、前記初期格子のどの時間周波数資源が前記伝送を実行するために使用されるべきかを決定するために、前記選択されたパターンマスクを適用し、
前記第１の装置は、
‐前記第１の複数に含まれる再描画格子と、前記第２の複数に含まれるパターンマスクとの各結合について、再描画格子およびパターンマスクの前記結合について干渉に対する頑強性を表す第３の性能指数を計算することと、
‐最良の第３の性能指数を示す、再描画格子およびパターンマスクの前記結合を選択することと
によって前記再描画格子および前記パターンマスクを選択することを特徴とする、請求項２に記載の方法。
【請求項７】
前記第２の複数のパターンマスクは、相互に同レベルの直交性を持つことを特徴とする、請求項４〜６のいずれか一項に記載の方法。
【請求項８】
前記再描画格子の前記グループは、前記初期格子の各時間スロットについて、前記初期格子の隣接する周波数または周波数帯域を周波数超帯域にグループ化することによって形成されることを特徴とする、請求項１〜７のいずれか一項に記載の方法。
【請求項９】
前記ｖ個の連続する時間スロットにわたる各周波数超帯域内の時間周波数資源系列の結合の間で、直交性因子ＯＦが次のように定義され、
ＯＦ（Ｉ１，Ｉ２）  ＝
Ｗ（ｆ（Ｉ１；１）−ｆ（Ｉ２；１））
＋Ｗ（ｆ（Ｉ２；１）−ｆ（Ｉ１；１））
＋…
＋Ｗ（ｆ（Ｉ１；ｖ）−ｆ（Ｉ２；ｖ））
＋Ｗ（ｆ（Ｉ２；ｖ）−ｆ（Ｉ１；ｖ））
ただし、
Ｉ１およびＩ２は、２つのパターンマスクとともにそれぞれ考慮されるべき各再描画格子内でｖ個の連続する時間スロットの量にわたって等しく形成される１つの周波数超帯域内で当該２つのパターンマスクによって定義される時間周波数資源系列であり、
Ｗ（ｆ１，ｆ２）は、周波数資源ｆ１およびｆ２の間の同一チャネル干渉の測定値であり、
ｆ（Ｉ１；ａ）は、時間スロットａに対する前記時間周波数資源系列Ｉ１の前記周波数資源であり、
ｆ（Ｉ２；ａ）は、前記時間スロットａに対する前記時間周波数資源系列Ｉ１の前記周波数資源である
ことを特徴とし、かつ、
前記第２の複数のパターンマスクが相互に同レベルの直交性を持つことを保証するために、前記パターンマスクは、前記第２の複数の各パターンマスクを表す任意の系列ＩｍおよびＩｋについて次の関係が満たされるように定義され、
｜ＯＦ（Ｉｍ，Ｉｋ）｜≦Ｄ
ただしＤは所定の閾値である
ことを特徴とする、請求項７および８に記載の方法。
【請求項１０】
前記ｖ個の連続する時間スロットにわたる複数の周波数超帯域ｉ，ｊ内の時間周波数資源系列の結合の間で、直交性因子ＯＦが次のように定義され、
ＯＦ（Ｉ’１，Ｉ’２）  ＝
ｍａｘｉ，ｊ（Ｗ（ｆｉ（Ｉ’１，１）−ｆｊ（Ｉ’２，１））
＋Ｗ（ｆｉ（Ｉ’２，１）−ｆｊ（Ｉ’１，１）））
＋…
＋ｍａｘｉ，ｊ（Ｗ（ｆｉ（Ｉ’１，ｖ）−ｆｊ（Ｉ’２，ｖ））
＋Ｗ（ｆｉ（Ｉ’２，ｖ）−ｆｊ（Ｉ’１，ｖ）））
ただし、
Ｉ’１およびＩ’２は、２つのパターンマスクとともにそれぞれ考慮されるべき各再描画格子内でｖ個の連続する時間スロットの量にわたって形成される複数の周波数超帯域内で当該２つのパターンマスクによって定義される時間周波数資源系列であり、
Ｗ（ｆ１，ｆ２）は、周波数資源ｆ１およびｆ２の間の同一チャネル干渉の測定値であり、
ｆｉ（Ｉ’１；ａ）は、前記周波数超帯域ｉ内の時間スロットａに対する前記時間周波数資源系列Ｉ’１の前記周波数資源であり、
ｆｉ（Ｉ’２；ａ）は、前記周波数超帯域ｉ内の前記時間スロットａに対する前記時間周波数資源系列Ｉ’２の前記周波数資源であり、
ｆｊ（Ｉ’１；ａ）は、前記周波数超帯域ｊ内の時間スロットａに対する前記時間周波数資源系列Ｉ’１の前記周波数資源であり、
ｆｊ（Ｉ’２；ａ）は、前記時間スロットａに対する前記時間周波数資源系列Ｉ’２の前記周波数資源である
ことを特徴とし、かつ、
前記第２の複数のパターンマスクが相互に同レベルの直交性を持つことを保証するために、前記パターンマスクは、前記第２の複数の各パターンマスクを表す任意の系列Ｉ’ｍおよびＩ’ｋについて次の関係が満たされるように定義され、
｜ＯＦ（Ｉ’ｍ，Ｉ’ｋ）｜≦Ｄ
ただしＤは所定の閾値である
ことを特徴とする、請求項７および８に記載の方法。
【請求項１１】
前記初期格子の各時間スロットについて、前記初期格子の周波数または周波数帯域が、前記周波数超帯域のうちの量の観点から一様または準一様に分布することを特徴とする、請求項８〜１０のいずれか一項に記載の方法。
【請求項１２】
前記初期格子は、２４００ＭＨｚ〜２４８０ＭＨｚの周波数をカバーし、
第１の周波数超帯域グループは、２４００ＭＨｚ〜２４２５ＭＨｚの周波数をカバーし、
第２の周波数超帯域グループは、２４２５ＭＨｚ〜２４５０ＭＨｚの周波数をカバーし、
第３の周波数超帯域グループは、２４５０ＭＨｚ〜２４８０ＭＨｚの周波数をカバーする
ことを特徴とする、請求項１１に記載の方法。
【請求項１３】
前記再描画格子は、次の制約を満たすことによって時間周波数資源のグループが形成されるようなものであり、
【数１】
2016536813.tif 000026
ただし、
‐┌  ┐は、天井演算子を表し、
‐ｎは、前記初期格子から形成されたグループの量を表し、
‐Ｎｉは、インデックスｉによって識別される、あるグループ内に存在する前記初期格子の時間スロットの量を表し、
‐Ｎｔは、前記初期格子の時間スロットの量を表し、
‐ＳＢｉは、前記インデックスｉによって識別される、前記グループ内の時間スロットそれぞれに対する周波数超帯域の量を表し、
‐Ｂｔは、前記再描画格子に従って前記伝送にどの時間周波数資源が割り当てられるかを示すために利用可能なシグナリングビットの目標量を表す
ことを特徴とする、請求項８〜１０のいずれか一項に記載の方法。
【請求項１４】
前記再描画格子表現に従った割り当ては、所定量の時間スロットの組によって考慮され、
前記再描画格子表現に従った割り当ては、コードブックにおいて対応するシグナリングワードに関連付けられ、
前記シグナリング情報は、前記再描画格子表現に従って第１通信装置によって割り当てられた前記時間周波数資源に関連付けられた前記コードブックの前記コードを含む
ことを特徴とする、請求項１〜１３のいずれか一項に記載の方法。
【請求項１５】
ワイヤレス通信ネットワーク内で伝送を実行するために使用されるべき前記ワイヤレス通信ネットワークの時間周波数資源のうちから時間周波数資源を決定するシステムであって、前記伝送は、前記伝送を実行するために使用可能な時間周波数資源の初期格子表現に従って前記ワイヤレス通信ネットワークの時間周波数資源を介して実行されることを意図され、前記時間資源は時間スロットに分割される、システムにおいて、
前記システムは、時間周波数資源を割り当てる役割を担う第１の装置が、
‐再描画格子表現を形成するように、前記初期格子表現の時間周波数資源のグループを取得する手段と、
‐前記再描画格子表現に従い、周波数ホッピング基準に従って、時間周波数資源を割り当てる手段と、
‐前記再描画格子表現に従って割り当てられた前記時間周波数資源を表すシグナリング情報を提供する手段と、
を備えることを特徴とし、かつ、
前記システムは、前記初期格子のどの時間周波数資源が前記伝送を実行するために使用されるべきかを決定するために、第２の装置が、
‐前記再描画格子表現に従って割り当てられた前記時間周波数資源を決定するように、前記第１の装置によって提供された前記シグナリング情報を取得する手段と、
‐前記再描画格子表現に従って割り当てられた前記決定された時間周波数資源に所定のパターンマスクを適用する手段であって、前記パターンマスクは、前記再描画格子の割り当てられた時間周波数資源それぞれにおいて、時間スロットごとに前記初期格子の時間周波数資源が１つだけ実効的に割り当てられるようなものである、所定のパターンマスクを適用する手段と
を備えることを特徴とする、システム。
【国際調査報告】
2016536813.tif 000027
2016536813.tif 000028